(57)【要約】【課題】アンテナが携帯電子機器のユーザ及び該ユーザの近くにいる他の人に対して邪魔になることがない携帯電子機器用アンテナ及び該アンテナを用いた携帯電子機器を提供する。【解決手段】アンテナエレメント下端部５２と、アンテナエレメント下端部５２を収納するホルダ部５５とを有する回転規制部５３を備え、アンテナエレメント下端部５２の、アンテナエレメント５１の長さ方向に垂直な断面の形状を、平行な２つの辺を有する左右対称な略六角形とし、ホルダ部５５の、ホルダ部５５の長さ方向に垂直な断面（図３のＡ−Ａ線の断面）の形状を、略長方形とした。これにより、ホイップアンテナ５の長さ方向を軸とする回転を所定角度以内に規制することができ、携帯電子機器１のユーザや該ユーザの近くにいる他の人に対して邪魔になることがない。【選択図】図３
2012147402.tif 000002
【特許請求の範囲】
【請求項１】
携帯電子機器用アンテナであって、
当該携帯電子機器用アンテナの長さ方向を軸とする回転を所定角度以内に規制する回転規制部を備える
携帯電子機器用アンテナ。
【請求項２】
当該携帯電子機器用アンテナの長さ方向に対して直角な方向の軸を中心として、当該携帯電子機器用アンテナを回転させるヒンジ部を備え、
前記回転規制部は、前記ヒンジ部による回転の軸の向きからの回転を所定角度以内に規制する
請求項１に記載の携帯電子機器用アンテナ。
【請求項３】
当該携帯電子機器用アンテナは、その本体であるアンテナエレメントと、前記アンテナエレメントの下端に位置するアンテナエレメント下端部と、を有し、
前記回転規制部は、前記アンテナエレメント下端部と、前記アンテナエレメントを収納するホルダ部と、を有する
請求項１又は請求項２に記載の携帯電子機器用アンテナ。
【請求項４】
前記アンテナエレメント下端部は、前記アンテナエレメントの長さ方向に垂直な断面の形状が、少なくとも平行な２つの辺を有する左右対称な略六角形であり、
前記ホルダ部は、前記ホルダ部の長さ方向に垂直な断面の形状が、略長方形である
請求項３に記載の携帯電子機器用アンテナ。
【請求項５】
前記アンテナエレメント下端部は、前記アンテナエレメントの長さ方向に垂直な断面の形状が、少なくとも平行な２つの辺を有する左右対称な形状であり、
前記ホルダ部は、前記ホルダ部の長さ方向に垂直な断面の形状が、少なくとも平行な２つの辺を有する左右対称な形状であり、
前記アンテナエレメント下端部と前記ホルダ部との間に隙間を有する
請求項３に記載の携帯電子機器用アンテナ。
【請求項６】
前記アンテナエレメント下端部は、前記アンテナエレメントの長さ方向に垂直な断面の形状が、少なくともひとつの凸部を有する円形であり、
前記ホルダ部は、前記ホルダ部の長さ方向に垂直な断面の形状が、少なくともひとつの凹部を有する円形である
請求項３に記載の携帯電子機器用アンテナ。
【請求項７】
前記アンテナエレメント下端部は、前記アンテナエレメントの長さ方向に垂直な断面の形状が、略長方形であり、
前記ホルダ部は、前記ホルダ部の長さ方向に垂直な断面の形状が、略蝶形である
請求項３に記載の携帯電子機器用アンテナ。
【請求項８】
本体ユニットの外側にアンテナが配置される携帯電子機器であって、
前記アンテナは、
当該アンテナの長さ方向を軸とする回転を所定角度以内に規制する回転規制部を備える
携帯電子機器。
【請求項９】
前記アンテナは、
当該アンテナの長さ方向に対して直角な方向の軸を中心として、当該アンテナを回転させるヒンジ部を備え、
前記回転規制部は、前記ヒンジ部による回転の軸の向きからの回転を所定角度以内に規制する
請求項８に記載の携帯電子機器。
【請求項１０】
前記アンテナは、その本体であるアンテナエレメントと、前記アンテナエレメントの下端に位置するアンテナエレメント下端部と、を有し、
前記回転規制部は、前記アンテナエレメント下端部と、前記アンテナエレメントを収納するホルダ部と、を有する
請求項８又は請求項９に記載の携帯電子機器。
【請求項１１】
前記アンテナエレメント下端部は、前記アンテナエレメントの長さ方向に垂直な断面の形状が、少なくとも平行な２つの辺を有する左右対称な略六角形であり、
前記ホルダ部は、前記ホルダ部の長さ方向に垂直な断面の形状が、略長方形である
請求項１０に記載の携帯電子機器。
【請求項１２】
前記アンテナエレメント下端部は、前記アンテナエレメントの長さ方向に垂直な断面の形状が、少なくとも平行な２つの辺を有する左右対称な形状であり、
前記ホルダ部は、前記ホルダ部の長さ方向に垂直な断面の形状が、少なくとも平行な２つの辺を有する左右対称な形状であり、
前記アンテナエレメント下端部と前記ホルダ部との間に隙間を有する
請求項１０に記載の携帯電子機器。
【請求項１３】
前記アンテナエレメント下端部は、前記アンテナエレメントの長さ方向に垂直な断面の形状が、少なくともひとつの凸部を有する円形であり、
前記ホルダ部は、前記ホルダ部の長さ方向に垂直な断面の形状が、少なくともひとつの凹部を有する円形である
請求項１０に記載の携帯電子機器。
【請求項１４】
前記アンテナエレメント下端部は、前記アンテナエレメントの長さ方向に垂直な断面の形状が、略長方形であり、
前記ホルダ部は、前記ホルダ部の長さ方向に垂直な断面の形状が、略蝶形である
請求項１０に記載の携帯電子機器。
【請求項１５】
無線通信回路を内蔵し、表示部を有する本体ユニットの外側にアンテナが配置される携帯電子機器であって、
前記アンテナが、前記表示部の前後方向への回転を、所定角度以内に規制された
携帯電子機器。
【発明の詳細な説明】
【技術分野】
【０００１】
本発明は、例えばワンセグ放送を受信可能な携帯電話機等の携帯電子機器に用いられるホイップアンテナ等の携帯電子機器用アンテナ及び該携帯電子機器用アンテナを用いた携帯電子機器に関する。
【背景技術】
【０００２】
従来の携帯電子機器用アンテナとして、例えば特許文献１に記載されている「アンテナ構造」が知られている。この特許文献１に記載されたアンテナ構造は、アンテナを本体ユニットに対して複数方向へ自由に回転させることが可能になっている。
【先行技術文献】
【特許文献】
【０００３】
【特許文献１】特開２００８−２３６５６９号公報
【発明の概要】
【発明が解決しようとする課題】
【０００４】
しかしながら、特許文献１に記載されたアンテナ構造は、アンテナを複数方向へ自由に回転させることができることから、携帯電子機器のユーザのみならず、該ユーザの近くにいる他の人に対して邪魔になることがあるという課題がある。
【０００５】
本発明は、係る事情に鑑みてなされたものであり、アンテナが携帯電子機器のユーザ及び該ユーザの近くにいる他の人に対して邪魔になることがない携帯電子機器用アンテナ及び該アンテナを用いた携帯電子機器を提供することを目的とする。
【課題を解決するための手段】
【０００６】
本発明の携帯電子機器用アンテナは、当該携帯電子機器用アンテナの長さ方向を軸とする回転を所定角度以内に規制する回転規制部を備える。
【０００７】
上記構成によれば、アンテナが携帯電子機器のユーザや該ユーザの近くにいる他の人の方向へ回転しないように、アンテナの回転を規制できるので、携帯電子機器のユーザや該ユーザの近くにいる他の人に対して邪魔になることがない。
【０００８】
上記構成において、当該携帯電子機器用アンテナの長さ方向に対して直角な方向の軸を中心として、当該携帯電子機器用アンテナを回転させるヒンジ部を備え、前記回転規制部は、前記ヒンジ部による回転の軸の向きからの回転を所定角度以内に規制するものを含む。
【０００９】
上記構成によれば、アンテナが携帯電子機器のユーザや該ユーザの近くにいる他の人の方向へ回転しないように、アンテナの回転を規制できるので、携帯電子機器のユーザや該ユーザの近くにいる他の人に対して邪魔になることがない。
【００１０】
上記構成において、当該携帯電子機器用アンテナは、その本体であるアンテナエレメントと、前記アンテナエレメントの下端に位置するアンテナエレメント下端部と、を有し、前記回転規制部は、前記アンテナエレメント下端部と、前記アンテナエレメントを収納するホルダ部と、を有するものを含む。
【００１１】
上記構成によれば、アンテナが携帯電子機器のユーザや該ユーザの近くにいる他の人の方向へ回転しないように、アンテナの回転を規制できるので、携帯電子機器のユーザや該ユーザの近くにいる他の人に対して邪魔になることがない。
【００１２】
上記構成において、前記アンテナエレメント下端部は、前記アンテナエレメントの長さ方向に垂直な断面の形状が、少なくとも平行な２つの辺を有する左右対称な略六角形であり、前記ホルダ部は、前記ホルダ部の長さ方向に垂直な断面の形状が、略長方形であるものを含む。
上記構成において、前記アンテナエレメント下端部は、前記アンテナエレメントの長さ方向に垂直な断面の形状が、少なくとも平行な２つの辺を有する左右対称な形状であり、前記ホルダ部は、前記ホルダ部の長さ方向に垂直な断面の形状が、少なくとも平行な２つの辺を有する左右対称な形状であり、前記アンテナエレメント下端部と前記ホルダ部との間に隙間を有するものを含む。
【００１３】
上記構成によれば、アンテナエレメント下端部とホルダ部との間の隙間部分の範囲を超えてアンテナが回転することがないため、携帯電子機器のユーザや該ユーザの近くにいる他の人に対して邪魔になることがない。
【００１４】
上記構成において、前記アンテナエレメント下端部は、前記アンテナエレメントの長さ方向に垂直な断面の形状が、少なくともひとつの凸部を有する円形であり、前記ホルダ部は、前記ホルダ部の長さ方向に垂直な断面の形状が、少なくともひとつの凹部を有する円形であるものを含む。
【００１５】
上記構成によれば、アンテナエレメント下端部の凸部とホルダ部の凹部との間の隙間部分の範囲を超えてアンテナが回転することがないため、携帯電子機器のユーザや該ユーザの近くにいる他の人に対して邪魔になることがない。
【００１６】
上記構成において、前記アンテナエレメント下端部は、前記アンテナエレメントの長さ方向に垂直な断面の形状が、略長方形であり、前記ホルダ部は、前記ホルダ部の長さ方向に垂直な断面の形状が、略蝶形であるものを含む。
【００１７】
上記構成によれば、アンテナエレメント下端部とホルダ部との間の隙間部分の範囲を超えてアンテナが回転することがないため、携帯電子機器のユーザや該ユーザの近くにいる他の人に対して邪魔になることがない。
【００１８】
また、本発明の携帯電子機器は、本体ユニットの外側にアンテナが配置される携帯電子機器であって、前記アンテナは、当該アンテナの長さ方向を軸とする回転を所定角度以内に規制する回転規制部を備える。
【００１９】
上記構成によれば、回転規制部によってアンテナの回転が所定角度以内に規制されるので、アンテナが、携帯電子機器のユーザや該ユーザの近くにいる他の人に対して邪魔になることがない。
【００２０】
上記構成において、前記アンテナは、当該アンテナの長さ方向に対して直角な方向の軸を中心として、当該アンテナを回転させるヒンジ部を備え、前記回転規制部は、前記ヒンジ部による回転の軸の向きからの回転を所定角度以内に規制するものを含む。
【００２１】
上記構成によれば、回転規制部によってアンテナの回転が所定角度以内に規制されるので、アンテナが、携帯電子機器のユーザや該ユーザの近くにいる他の人に対して邪魔になることがない。
【００２２】
上記構成において、前記アンテナは、その本体であるアンテナエレメントと、前記アンテナエレメントの下端に位置するアンテナエレメント下端部と、を有し、前記回転規制部は、前記アンテナエレメント下端部と、前記アンテナエレメントを収納するホルダ部と、を有するものを含む。
【００２３】
上記構成によれば、アンテナエレメントが携帯電子機器のユーザや該ユーザの近くにいる人の方向へ回転しないように規制するので、携帯電子機器のユーザや該ユーザの近くにいる他の人に対して邪魔になることがない。
【００２４】
上記構成において、前記アンテナエレメント下端部は、前記アンテナエレメントの長さ方向に垂直な断面の形状が、少なくとも平行な２つの辺を有する左右対称な略六角形であり、前記ホルダ部は、前記ホルダ部の長さ方向に垂直な断面の形状が、略長方形であるものを含む。
上記構成において、前記アンテナエレメント下端部は、前記アンテナエレメントの長さ方向に垂直な断面の形状が、少なくとも平行な２つの辺を有する左右対称な形状であり、前記ホルダ部は、前記ホルダ部の長さ方向に垂直な断面の形状が、少なくとも平行な２つの辺を有する左右対称な形状であり、前記アンテナエレメント下端部と前記ホルダ部との間に隙間を有するものを含む。
【００２５】
上記構成によれば、アンテナエレメント下端部とホルダ部との間の隙間部分の範囲を超えてアンテナエレメントが回転しないように規制がかかるので、アンテナエレメントが、携帯電子機器のユーザや該ユーザの近くにいる他の人に対して邪魔になることがない。
【００２６】
上記構成において、前記アンテナエレメント下端部は、前記アンテナエレメントの長さ方向に垂直な断面の形状が、少なくともひとつの凸部を有する円形であり、前記ホルダ部は、前記ホルダ部の長さ方向に垂直な断面の形状が、少なくともひとつの凹部を有する円形であるものを含む。
【００２７】
上記構成によれば、アンテナエレメント下端部の凸部とホルダ部の凹部との間の隙間部分の範囲を超えてアンテナエレメントが回転しないように規制がかかるので、アンテナエレメントが、携帯電子機器のユーザや該ユーザの近くにいる他の人に対して邪魔になることがない。
【００２８】
上記構成において、前記アンテナエレメント下端部は、前記アンテナエレメントの長さ方向に垂直な断面の形状が、略長方形であり、前記ホルダ部は、前記ホルダ部の長さ方向に垂直な断面の形状が、略蝶形であるものを含む。
【００２９】
上記構成によれば、アンテナエレメント下端部とホルダ部との間の隙間部分の範囲を超えてアンテナエレメントが回転しないように規制がかかるので、アンテナエレメントが、携帯電子機器のユーザや該ユーザの近くにいる他の人に対して邪魔になることがない。
【００３０】
また、本発明の携帯電子機器は、無線通信回路を内蔵し、表示部を有する本体ユニットの外側にアンテナが配置される携帯電子機器であって、前記アンテナが、前記表示部の前後方向への回転を、所定角度以内に規制された。
【００３１】
上記構成によれば、アンテナエレメントの表示部の前後方向への回転が所定角度を超えて回転しないように規制がかかるので、携帯電子機器のユーザや該ユーザの近くにいる他の人に対して邪魔になることがない。
【発明の効果】
【００３２】
本発明によれば、アンテナが所定角度を超えて回転しないように規制するので、アンテナが、携帯電子機器のユーザや該ユーザの近くにいる他の人に対して邪魔になることがない。
【図面の簡単な説明】
【００３３】
【図１】本発明の一実施の形態に係る携帯電子機器を示す斜視図
【図２】図１の携帯電子機器のホイップアンテナを示す図
【図３】（ａ）、（ｂ）図１の携帯電子機器のホイップアンテナの回転規制部を含むその近傍の構造を示す断面図
【図４】（ａ）、（ｂ）図１の携帯電子機器のホイップアンテナにおいてホルダ部に収納されるアンテナエレメント下端部が回転した状態を示す断面図
【図５】図１の携帯電子機器の使用状況の一例を示す図
【図６】図１の携帯電子機器の表示部が設けられた側と反対側に他の人がいる場合の携帯電子機器の使用状況の一例を示す図
【図７】（ａ）〜（ｃ）図１の携帯電子機器のホイップアンテナの回転規制部の変形例（１）の断面形状を示す図、及びホルダ部に収納されるアンテナエレメント下端部が回転した状態を示す断面図
【図８】（ａ）〜（ｃ）図１の携帯電子機器のホイップアンテナの回転規制部の変形例（２）の断面形状を示す図、及びホルダ部に収納されるアンテナエレメント下端部が回転した状態を示す断面図
【図９】（ａ）〜（ｃ）図１の携帯電子機器のホイップアンテナの回転規制部の変形例（３）の断面形状を示す図、及びホルダ部に収納されるアンテナエレメント下端部が回転した状態を示す断面図
【発明を実施するための形態】
【００３４】
以下、本発明を実施するための好適な実施の形態について、図面を参照して詳細に説明する。
【００３５】
図１は、本発明の一実施の形態に係る携帯電子機器を示す斜視図である。同図において、本実施の形態の携帯電子機器１は、ワンセグ放送を受信可能な携帯電話機と同等のものであり、ワンセグ受信回路２及び無線通信回路３を内蔵し、表示部４を有する本体ユニット１Ａの上端部にはワンセグ放送を受信するためのホイップアンテナ（携帯電子機器用アンテナ）５が配設されている。ホイップアンテナ５は、Ｙ−Ｚ平面で回転可能であるとともに、Ｘ−Ｙ平面の所定角度以内で回転可能となっている。この場合、Ｘ−Ｙ平面では、表示部４の前方向側の＋αの範囲と、表示部４の後方向側の−αの範囲で回転可能となっている。携帯電子機器１には、表示部４を有する本体ユニット１Ａの上部にはレシーバ６が配設されており、また下部にはマイク７が配設されている。レシーバ６は、携帯電話として使用するときの受話に使用され、マイク７は、携帯電話として使用するときの送話に使用される。ワンセグ放送受信にはレシーバ６以外のレシーバ（図示略）からワンセグ放送の音声が出力される。
【００３６】
図２は、ホイップアンテナ５を示す図である。同図において、ホイップアンテナ５は、その本体であるアンテナエレメント５１と、アンテナエレメント５１の下端に位置するアンテナエレメント下端部５２と、ホイップアンテナ５の長さ方向を軸とする回転を所定角度以内に規制する回転規制部５３と、ホイップアンテナ５の長さ方向に対して直角な方向の軸を中心としてアンテナエレメント５１を回転させるヒンジ部５４とを備える。回転規制部５３は、アンテナエレメント下端部５２と、アンテナエレメント下端部５２を収納するホルダ部５５とを有する。
【００３７】
図３は、ホイップアンテナ５の回転規制部５３を含むその近傍の構造を示す断面図である。図３の（ａ）は、Ｘ−Ｚ平面の縦断面図及びＡ−Ａ線断面図（横断面図）である。図３の（ｂ）は、Ｙ−Ｚ平面の縦断面図及びＡ−Ａ線断面図（横断面図）である。図４の（ａ）、（ｂ）は、図３の（ｂ）に対応するＡ−Ａ線断面図において、ホルダ部５５に収納されるアンテナエレメント下端部５２が回転した状態の断面図である。ホルダ部５５に収納されるアンテナエレメント下端部５２は、アンテナエレメント５１の長さ方向に垂直な断面の形状が、平行な２つの辺を有する左右対称な略六角形になっている。ホルダ部５５は、その長さ方向に垂直な断面の形状が略長方形になっている。なお、図３の（ａ）、（ｂ）及び図４の（ａ）、（ｂ）に示すように、ホルダ部５５の断面形状は、より具体的には、例えば、略平面形状のＹ−Ｚ面（Ｘ軸に垂直な面）と、ホルダ部５５の中心軸を中心とする略円筒面（図４の（ａ）、（ｂ）の断面は略円形）とから構成される。ホルダ部５５の断面形状を略長方形とし、アンテナエレメント下端部５２の断面形状を略六角形とすることで、アンテナエレメント下端部５２とホルダ部５５との間に隙間６０ができ、この隙間６０の範囲で図４の（ａ）から（ｂ）に示す範囲でアンテナエレメント下端部５２が回転する。逆に言えば、この隙間６０の範囲を超えてホイップアンテナ５が回転することがない。なお、隙間６０の範囲は、ホルダ部５５の断面形状とアンテナエレメント下端部５２の形状とを変えることで任意に決めることができる。すなわち、略六角形の平行な２つの辺と図４の（ａ）、（ｂ）中の破線で示す中心軸とのなす角度を大きくすることで、隙間６０の範囲が大きくなり、その結果、回転角度が大きくなる。逆にこの角度を小さくすることで隙間６０の範囲が小さくなり、その結果、回転角度が小さくなる。また、この角度がゼロの場合は、アンテナエレメント下端部５２は回転できない（この場合、アンテナエレメント下端部５２の形状は、略四角形となる）。これらの場合において、図４の（ａ）、（ｂ）中のホルダ部５５の断面のＸ方向の幅は、図４の（ａ）、（ｂ）中の破線で示すアンテナエレメント下端部５２の中心軸と直交する軸の長さと略同一にするものとする。このように回転規制部５３は、ホイップアンテナ５の長さ方向を軸とする回転を所定角度以内に規制する。
【００３８】
また、図３の（ａ）、（ｂ）及び図４の（ａ）、（ｂ）に示すように、ホルダ部５５の断面形状は、より具体的には、例えば、略平面形状のＹ−Ｚ面（Ｘ軸に垂直な面）と、ホルダ部５５の中心軸を中心とする略円筒面（図４の（ａ）、（ｂ）の断面は略円形）とから構成されるものとしたが、他の例として、例えば、アンテナエレメント下端部５２の断面形状は図４の（ａ）、（ｂ）のものと変えずに、ホルダ部５５の断面形状を図４の（ａ）、（ｂ）のＹ方向の長さよりも長くすれば、ホルダ部５５の断面形状を略長方形など他の形状とすることもできる。すなわち、図４の（ａ）、（ｂ）のホルダ部５５の略円形の断面形状の部分を直線とするなど他の形状とすることもできる。この場合、アンテナエレメント下端部５２の断面形状のうち、図４の（ａ）、（ｂ）中の破線で示すアンテナエレメント下端部５２の中心軸と直交する２辺についても同様に他の形状とすることもできる。これらの部分によって回転規制されるわけではないからである。この点は、以下で説明する図７、８、９に示す回転規制部においても同様である。
【００３９】
図５は、本実施の形態の携帯電子機器１の使用状況の一例を示す図である。同図に示す回転範囲１０は、携帯電子機器１のホイップアンテナ５が回転する範囲であり、非回転範囲１１は携帯電子機器１のホイップアンテナ５が回転しない範囲である。ホイップアンテナ５は、回転範囲１０を超えて回転することがないので、ユーザ１００の邪魔になることがない。図６は、携帯電子機器１の表示部４が設けられた側と反対側に他の人１１０がいる場合の携帯電子機器１の使用状況の一例を示す図である。同図に示すように、他の人１１０の位置は、ホイップアンテナ５の回転範囲１０以外であるので、ホイップアンテナ５は他の人１１０の邪魔になることがない。
【００４０】
このように本実施の形態の携帯電子機器１によれば、アンテナエレメント下端部５２と、アンテナエレメント下端部５２を収納するホルダ部５５とを有する回転規制部５３を備え、アンテナエレメント下端部５２の、アンテナエレメント５１の長さ方向に垂直な断面の形状を、平行な２つの辺を有する左右対称な略六角形とし、ホルダ部５５の、ホルダ部５５の長さ方向に垂直な断面（図３のＡ−Ａ線の断面）の形状を、略長方形としたので、ホイップアンテナ５の長さ方向を軸とする回転を所定角度以内に規制することができ、携帯電子機器１のユーザ１００や該ユーザ１００の近くにいる他の人１１０に対して邪魔になることがない。すなわち、ホイップアンテナ５を、携帯電子機器１のユーザ１００や該ユーザ１００の近くにいる他の人１１０の方向へ回転しないように規制することから、携帯電子機器１のユーザ１００や該ユーザ１００の近くにいる他の人１１０に対して邪魔になることがない。
【００４１】
また、本実施の形態の携帯電子機器１では、ホイップアンテナ５の回転規制を、アンテナエレメント５１の延設部であるアンテナエレメント下端部５２と、アンテナエレメント下端部５２を収納するホルダ部５５とで行うことから、屈曲強度を確保することができる。
【００４２】
なお、本実施の形態では、回転規制部５３のアンテナエレメント下端部５２の形状を略六角形とし、ホルダ部５５の形状を略長方形としたが、これらの形状に限定されるものではなく、ホイップアンテナ５の長さ方向を軸とする回転を所定角度以内に規制できれば如何なる形状を採っても良い。以下にその変形例を挙げる。
【００４３】
（変形例（１））
図７の（ａ）〜（ｃ）は、変形例（１）の回転規制部５３Ｂの断面形状を示す図、及びホルダ部５５Ｂに収納されるアンテナエレメント下端部５２Ｂが回転した状態の断面図である。同図に示す変形例（１）の回転規制部５３Ｂは、アンテナエレメント５１の長さ方向に垂直な断面の形状が、２つの凸部５２Ｂ１，５２Ｂ２を有する円形のアンテナエレメント下端部５２Ｂと、図３のＡ−Ａ線の断面と同様の断面の形状が、２つの凹部５５Ｂ１，５５Ｂ２を有する円形のホルダ部５５Ｂと有するものである。このような構成を採ることで、アンテナエレメント下端部５２Ｂの凸部５２Ｂ１，５２Ｂ２とホルダ部５５Ｂの凹部５５Ｂ１，５５Ｂ２との間の隙間部分の範囲を超えてホイップアンテナ５が回転することがない。したがって、この変形例（１）でもホイップアンテナ５の長さ方向を軸とする回転を所定角度以内に規制することができるので、携帯電子機器１のユーザ１００や該ユーザ１００の近くにいる他の人１１０に対して邪魔になることがない。
【００４４】
（変形例（２））
図８の（ａ）〜（ｃ）は、変形例（２）の回転規制部５３Ｃの断面形状を示す図、及びホルダ部５５Ｃに収納されるアンテナエレメント下端部５２Ｃが回転した状態の断面図である。同図に示す変形例（２）の回転規制部５３Ｃは、アンテナエレメント５１の長さ方向に垂直な断面の形状が、１つの凸部５２Ｃ１を有する円形のアンテナエレメント下端部５２Ｃと、図３のＡ−Ａ線の断面と同様の断面の形状が、１つの凹部５５Ｃ１を有する円形のホルダ部５５Ｃと有するものである。このような構成を採ることで、アンテナエレメント下端部５２Ｃの凸部５２Ｃ１とホルダ部５５Ｃの凹部５５Ｃ１との間の隙間部分の範囲を超えてホイップアンテナ５が回転することがない。したがって、この変形例（２）でもホイップアンテナ５の長さ方向を軸とする回転を所定角度以内に規制することができるので、携帯電子機器１のユーザ１００や該ユーザ１００の近くにいる他の人１１０に対して邪魔になることがない。
【００４５】
（変形例（３））
図９の（ａ）〜（ｃ）は、変形例（３）の回転規制部５３Ｄの断面形状を示す図、及びホルダ部５５Ｄに収納されるアンテナエレメント下端部５２Ｄが回転した状態の断面図である。同図に示す変形例（３）の回転規制部５３Ｄは、アンテナエレメント５１の長さ方向に垂直な断面の形状が、略長方形であるアンテナエレメント下端部５２Ｄと、図３のＡ−Ａ線の断面と同様の断面の形状が、略蝶形であるホルダ部５５Ｄとを有するものである。このような構成を採ることで、アンテナエレメント下端部５２Ｄとホルダ部５５Ｄとの間の隙間部分の範囲を超えてホイップアンテナ５が回転することがない。したがって、この変形例（３）でもホイップアンテナ５の長さ方向を軸とする回転を所定角度以内に規制することができるので、携帯電子機器１のユーザ１００や該ユーザ１００の近くにいる他の人１１０に対して邪魔になることがない。
【００４６】
前述した実施の形態の回転規制部５３及び上述した変形例（１）〜（３）の回転規制部５３Ｂ，５３Ｃ，５３Ｄのホルダ部５５，５５Ｂ，５５Ｃ，５５Ｄのそれぞれの外形を略長方形の多角形状としたが、多角形状に限定されるものではなく、円形や楕円形であっても構わない。
【産業上の利用可能性】
【００４７】
本発明は、携帯電子機器用アンテナが携帯電子機器のユーザ及び該ユーザの近くにいる他の人に対して邪魔しないといった効果を有し、ワンセグ放送等の電波を受信するためのホイップアンテナ等のアンテナを有する携帯電子機器への適用が可能である。
【符号の説明】
【００４８】
１  携帯電子機器
１Ａ  本体ユニット
２  ワンセグ受信回路
３  無線通信回路
４  表示部
５  ホイップアンテナ
６  レシーバ
７  マイク
１０  ホイップアンテナの回転範囲
１１  ホイップアンテナの非回転範囲
５１  アンテナエレメント
５２，５２Ｂ，５２Ｃ，５２Ｄ  アンテナエレメント下端部
５２Ｂ１，５２Ｂ２，５２Ｃ１  凸部
５３，５３Ｂ，５３Ｃ，５３Ｄ  回転規制部
５４  ヒンジ部
５５，５５Ｂ，５５Ｃ，５５Ｄ  ホルダ部
５５Ｂ１，５５Ｂ２，５５Ｃ１  凹部
６０  隙間
１００  ユーザ
１１０  他の人
【図１】
2012147402.tif 000003
【図２】
2012147402.tif 000004
【図３】
2012147402.tif 000005
【図４】
2012147402.tif 000006
【図５】
2012147402.tif 000007
【図６】
2012147402.tif 000008
【図７】
2012147402.tif 000009
【図８】
2012147402.tif 000010
【図９】
2012147402.tif 000011